【手続補正書】
【提出日】平成24年9月11日(2012.9.11)
【手続補正１】
【補正対象書類名】特許請求の範囲
【補正対象項目名】請求項４
【補正方法】変更
【補正の内容】
【請求項４】
（以下、検出方法、カラム単位）
前記画像取得手段は、前記撮像素子における転送ゲートをオフの状態にして暗時の画像を複数枚取得し、
前記生成手段は、前記画像取得手段により取得された画像において、カラム単位で画素の画素値および、前記画素値を用いた統計処理値を生成し、
前記検出手段は、前記生成手段により生成されたカラム単位の画素値、および、統計処理値に基づいて特異な信号を発する画素を検出し、
前記登録手段は、前記検出手段により検出された特異な信号が検出されたカラム単位で、前記画素を特定するアドレスに対応付けて、前記特異な信号を含む画素の振幅、および前記特異な信号が発生する時定数をデータベースとして登録する
請求項２に記載の撮像装置。
【手続補正２】
【補正対象書類名】特許請求の範囲
【補正対象項目名】請求項１４
【補正方法】変更
【補正の内容】
【請求項１４】
（以下、データベース単独利用）
請求項１に記載の前記登録手段により、特異な信号が検出された画素を特定するアドレスに対応付けて、前記特異な信号を含む画素の振幅、および前記特異な信号が発生する時定数が登録されたデータベースと、
請求項１に記載の前記撮像手段により撮像された撮像画像について、前記データベースに登録されているアドレスに対応する画素を処理対象としたとき、前記処理対象画素に対応して所定の位置関係を有する画素の画素値の分布、または、隣接画素間の画素値の差分に基づいて、前記特異な信号の有無を判定する判定手段と、
前記判定手段により特異な信号有りと判定された画素の画素値を補正する補正手段と
を含む情報処理装置。
【手続補正３】
【補正対象書類名】明細書
【補正対象項目名】００１２
【補正方法】変更
【補正の内容】
【００１２】
前記画像取得手段には、前記撮像素子における転送ゲートをオフの状態にして暗時の画像を複数枚取得させ、前記生成手段には、前記画像取得手段により取得された画像において、カラム単位で画素の画素値および、前記画素値を用いた統計処理値を生成させ、前記検出手段には、前記生成手段により生成されたカラム単位の画素値、および、統計処理値に基づいて特異な信号を発する画素を検出させ、前記登録手段には、前記検出手段により検出された特異な信号が検出されたカラム単位で、前記画素を特定するアドレスに対応付けて、前記特異な信号を含む画素の振幅、および前記特異な信号が発生する時定数をデータベースとして登録させるようにすることができる。
【手続補正４】
【補正対象書類名】明細書
【補正対象項目名】００２２
【補正方法】変更
【補正の内容】
【００２２】
請求項１に記載の前記登録手段により、特異な信号が検出された画素を特定するアドレスに対応付けて、前記特異な信号を含む画素の振幅、および前記特異な信号が発生する時定数が登録されたデータベースと、請求項１に記載の前記撮像手段により撮像された撮像画像について、前記データベースに登録されているアドレスに対応する画素を処理対象としたとき、前記処理対象画素に対応して所定の位置関係を有する画素の画素値の分布、または、隣接画素間の画素値の差分に基づいて、前記特異な信号の有無を判定する判定手段と、前記判定手段により特異な信号有りと判定された画素の画素値を補正する補正手段とを含ませるようにすることができる。
【手続補正５】
【補正対象書類名】明細書
【補正対象項目名】００３８
【補正方法】変更
【補正の内容】
【００３８】
フォトセンサ３１は、シャッタ１２より入射されてくる光を光電変換し、微弱な電流を発生する。フォトセンサ３１には、それぞれ冷却部３１ａ−１乃至３１ａ−ｎが設けられており、低温撮像のときにフォトセンサ３１を冷却する。尚、冷却部３１ａについては、図１においては、フォトセンサ３１にそれぞれ設けられている構成となっているが、実際には、フォトセンサ３１を全体として冷却するものである。また、この冷却部３１ａは、出荷時に低温撮像される際に使用されるのみであるので、実際には、工場等での試験にのみ使用されるものであり、通常装備されるものではない。しかしながら、ここでは、説明の便宜上フォトセンサ３１上に設けた構成としてある。
【手続補正６】
【補正対象書類名】明細書
【補正対象項目名】００４７
【補正方法】変更
【補正の内容】
【００４７】
より詳細には、カラムランダムノイズ検出部１０４は、アドレス検出部１１１、振幅検出部１１２、および時定数検出部１１３を備えている。アドレス検出部１１１は、ランダムノイズが発生しているカラム位置に対応するアドレスを検出する。振幅検出部１１２は、ランダムノイズが発生しているカラムの画素の時系列の画素値の振幅を検出する。時定数検出部１１３は、ランダムノイズが発生しているカラムの画素の時系列の画素値の時定数を検出する。そして、カラムランダムノイズ検出部１０４は、ランダムノイズを検出したカラムのアドレスに対応付けて、振幅と時定数の情報をノイズデータベース１７に登録する。
【手続補正７】
【補正対象書類名】明細書
【補正対象項目名】０１１２
【補正方法】変更
【補正の内容】
【０１１２】
ステップＳ８５において、カラムランダムノイズ検出部１０４は、撮像素子１３のうち処理対象となるカラムのうち、未処理のカラムを処理対象のカラムに設定する。
【手続補正８】
【補正対象書類名】明細書
【補正対象項目名】０１３８
【補正方法】変更
【補正の内容】
【０１３８】
ステップＳ１１５において、画素パターン比較ノイズ検出部１７３は、処理対象となる画素と増幅トランジスタ３３を共有する複数の画素間の差分を求め、その差分のパターンが所定のパターンと一致するか否かを判定する。例えば、処理対象となる画素と増幅トランジスタ３３を共有する複数の画素間の差分を求め、その差分のパターンが所定のパターンと一致する場合、処理は、ステップＳ１１９に進む。
【手続補正９】
【補正対象書類名】明細書
【補正対象項目名】０１４４
【補正方法】変更
【補正の内容】
【０１４４】
ステップＳ１２１において、画素単位処理部１５３は、未処理の画素が存在するか否かを判定し、存在する場合、処理は、ステップＳ１１２に戻り、それ以降の処理が繰り返される。また、ステップＳ１２１において、未処理の画素が存在しない場合、処理は、終了する。
【手続補正１０】
【補正対象書類名】明細書
【補正対象項目名】０１４９
【補正方法】変更
【補正の内容】
【０１４９】
ステップＳ１３０において、カラム単位処理部１５４は、隣接カラム比較ノイズ検出部２０１の判定結果に基づいて、処理対象となっているカラムにはランダムノイズが発生しているものとして認識する。
【手続補正１１】
【補正対象書類名】明細書
【補正対象項目名】０１５０
【補正方法】変更
【補正の内容】
【０１５０】
また、ステップＳ１２９において、処理対象となっているカラムの周辺のカラムの画素間の比較から、ランダムノイズとして付加されている振幅が、ノイズデータベース１７に登録されている振幅と一致しないと判定された場合、処理は、ステップＳ１２８に進む。
【手続補正１２】
【補正対象書類名】明細書
【補正対象項目名】０１５１
【補正方法】変更
【補正の内容】
【０１５１】
ステップＳ１２８において、カラム単位処理部１５４は、隣接カラム比較ノイズ検出部２０１の判定結果に基づいて、処理対象となっているカラムにはランダムノイズが発生していないものとして認識する。
【手続補正１３】
【補正対象書類名】明細書
【補正対象項目名】０１５２
【補正方法】変更
【補正の内容】
【０１５２】
一方、ステップＳ１２４において、隣接するカラム間の複数の画素間との画素値の差分の平均値が所定の閾値よりも大きくなく、隣接カラム間の画素値の差分においてはランダムノイズの発生が検出されないと判定された場合、処理は、ステップＳ１２５に進む。
【手続補正１４】
【補正対象書類名】明細書
【補正対象項目名】０１５７
【補正方法】変更
【補正の内容】
【０１５７】
ステップＳ１３２において、時定数比較ノイズ検出部２０４は、処理対象となっているカラムの前後のフレームの情報からランダムノイズが発生している時間が、ノイズデータベース１７に登録されている時定数τと略一致するか否かを判定する。ステップＳ１３２において、処理対象となっている画素の前後のフレームの情報からランダムノイズが発生している時間が時定数と略一致する場合、処理は、ステップＳ１２９に進む。
【手続補正１５】
【補正対象書類名】明細書
【補正対象項目名】０１５９
【補正方法】変更
【補正の内容】
【０１５９】
一方、ステップＳ１２７において、処理対象となっているカラムの画素値と、直前のフレームにおける同位置のカラムの画素値との差分の平均値が所定の閾値よりも大きくない場合、処理は、ステップＳ１２８に進む。
【手続補正１６】
【補正対象書類名】明細書
【補正対象項目名】０１８６
【補正方法】変更
【補正の内容】
【０１８６】
ステップＳ１５７において、カラム入替補正が指示されていない場合、ステップＳ１５９において、カラム加減算補正部２０８は、カラム加減算補正が指示されているか否かを判定する。ステップＳ１５９において、例えば、図示せぬ設定操作により、カラム加減算補正が指示されている場合、処理は、ステップＳ１６０に進む。
【手続補正１７】
【補正対象書類名】明細書
【補正対象項目名】０１９０
【補正方法】変更
【補正の内容】
【０１９０】
また、ステップＳ１６１において、カラム空間平均化補正が指示されていない場合、ステップＳ１６３において、カラム時間平均化補正部２１０は、カラム時間平均化補正が指示されているか否かを判定する。ステップＳ１６３において、例えば、図示せぬ設定操作により、カラム時間平均化補正が指示されている場合、処理は、ステップＳ１６４に進む。
【手続補正１８】
【補正対象書類名】図面
【補正対象項目名】図３
【補正方法】変更
【補正の内容】
【図３】
2011066835.tif 000001